【事件の表示】
　平成１１年特許願第９３４１９号「弾性表面波フィルター」拒絶査定に対する審判事件［平成１２年１０月１３日出願公開、特開２０００−２８６６７６］について、次のとおり審決する。
【結　論】
　本件審判の請求は、成り立たない。
【理　由】
１．手続の経緯・本願発明
　本願は、平成１１年３月３１日の出願であって、特許請求の範囲の請求項１に係る発明（以下、「本願発明」という。）は、平成１３年１０月２６日付け手続補正書により補正された明細書及び図面の記載からみて、その特許請求の範囲の請求項１に記載された以下のとおりのものと認める。
　
「３つの直列腕共振器(6a)(6b)(6c)と３つの並列腕共振器(7a)(7b)(7c)とをそれぞれ直列腕(４)と並列腕(５)に接続して構成される３段の梯子型弾性表面波フィルターにおいて、中間段における直列腕共振器(6b)の共振周波数ｆｒｓ２と並列腕共振器(7b)の共振周波数ｆｒｐ２とを、前段及び後段の各段における直列腕共振器(6a)(6c)の共振周波数ｆｒｓ１、ｆｒｓ３と並列腕共振器(7a)(7c)の共振周波数ｆｒｐ１、ｆｒｐ３と夫々異ならしめ、且つ、中間段における直列腕共振器(6b)の共振周波数ｆｒｓ２と並列腕共振器(7b)の共振周波数ｆｒｐ２との共振周波数差Δｆ２を、前段及び後段の各段における直列腕共振器(6a)(6c)の共振周波数ｆｒｓ１、ｆｒｓ３と並列腕共振器(7a)(7c)の共振周波数ｆｒｐ１、ｆｒｐ３との共振周波数差Δｆ１、Δｆ３よりも大きな値に設定することを特徴とする弾性表面波フィルター。」
　
２．引用例
（１）これに対して、当審の拒絶理由に引用された特開平１０−２４２７９９号公報（以下、「引用例１」という。）には、図面とともに、次の事項が記載されている。
　
　イ．「一対の櫛歯状電極と、その櫛歯状電極の弾性表面波伝搬路の両側に設けられた反射器とから成る複数個の弾性表面波共振子を、圧電基板上にラダー型に配置して成る弾性表面波フィルタであって、直列共振子を成す共振子及び／又は並列共振子を成す共振子のうちの少なくともいずれか一個の共振子が、他の共振子と、櫛歯状電極の電極指ピッチ，櫛歯状電極の電極指本数，櫛歯状電極の電極指の開口幅，反射器の電極指ピッチ，反射器の電極指本数の５つのパラメータの少なくとも一つにおいて異なることを特徴とする弾性表面波フィルタ。」（２頁１欄、特許請求の範囲、請求項１）
　
　ロ．「【００１６】前記パラメータを変化させる場合、以下のような実施形態が好ましい。ＳＡＷフィルタにとって最も重要である帯域内挿入損失と帯域外減衰量のバランスは、ラダー型ＳＡＷフィルタの場合、主に直列共振子部Ａと並列共振子部Ｂの間のＮ×Ｗの比によって決まり、例えば図１の対称型のラダー型ＳＡＷフィルタでは、両端の直列共振子１，３のＮ×Ｗを他に比べて小さくした方が、インピーダンス整合が良くなる。また、３．０段のような非対称型のラダー型ＳＡＷフィルタの場合、端にある並列共振子のＮ×Ｗを他に比べて小さくした方が、インピーダンス整合が良くなる。
【００１７】更に、ラダー型ＳＡＷフィルタにおいて、他の重要なパラメータはＩＤＴ電極１ａの電極指ピッチＬであり、Ｌを調整することにより、通過帯域近傍の急峻度を大きくすることができる。例えば直列共振子部ＡのＬを調整して通過帯域の右肩の急峻度を大きくでき、並列共振子部ＢのＬを調整して通過帯域の左肩の急峻度を大きくできる。また、Ｌを調整することにより、通過帯域内のリップルを平均化して滑らかにすることもできる。通過帯域内のリップルは、主に並列共振子部ＢのＬを調整することにより改善できる。
【００１８】より具体的には、ＩＤＴ電極の電極指ピッチは、中心値±約４％とするのが好ましい。これは、例えば比帯域幅４％以下のＲＦ用ＳＡＷフィルタの場合、前記の範囲を超えて電極指ピッチを変化させると、通過帯域の肩部の減衰特性が劣化したり、ＶＳＷＲ（Voltage Standing Wave Ratio;電圧定在波比）が劣化するなどの問題が生じるからである。なお、ＶＳＷＲは交流電気信号の反射の大きさを表すパラメータ、すなわちインピーダンス整合のよしあしを表すパラメータである。」（３頁４欄段落１６〜１８）
　
　ハ．「【００３５】そして、直列共振子部Ａの共振子１〜３間では、ＩＤＴ電極１ａの電極指ピッチは１．１８１μｍを中心として約±３．５％の範囲内に、また、並列共振子部Ｂの共振子４〜７間では、１．１７９μｍを中心として約±３．６％の範囲内に設定するのが、急峻性を改善するのに効果があり、好適な範囲と認められた。」（５頁７欄段落３５）
　
　上記引用例１の記載及び添付図面ならびにこの分野における技術常識を考慮すると、上記「ラダー型弾性表面波フィルタ」は上記記載ロ．の段落１６によれば「３．０段のような非対称型のラダー型ＳＡＷフィルタ」を包含するものである。
　したがって、上記引用例１には以下の発明（以下、「引用発明１」という。）が記載されているといえる。
「３．０段のような非対称型のラダー型弾性表面波フィルタにおいて、直列共振子を成す共振子及び／又は並列共振子を成す共振子のうちの少なくともいずれか一個の共振子が、他の共振子と、櫛歯状電極の電極指ピッチ，櫛歯状電極の電極指本数，櫛歯状電極の電極指の開口幅，反射器の電極指ピッチ，反射器の電極指本数の５つのパラメータの少なくとも一つにおいて異なることを特徴とする弾性表面波フィルタ。」
　
（２）また、当審の拒絶理由に引用された特開平１０−５１２６７号公報（以下、「引用例２」という。）には、図面とともに、次の事項が記載されている。
　
　イ．「共振周波数と反共振周波数の差ΔＦが同一の直列共振子と並列共振子とをＬ型に接続してなる基本単位回路を複数段接続してなるラダー型フィルターにおいて、前記複数の基本単位回路のうち少なくとも一つの基本単位回路のΔＦが他の基本単位回路のΔＦよりも小さいことを特徴とするラダー型フィルター。」（２頁１欄、特許請求の範囲、請求項１）
　
　ロ．「【００２５】この際、直列共振子の共振周波数と並列共振子の反共振周波数が、４５０ｋＨｚとなるように調整して切断した。」（３頁４欄段落２５）
　
　上記引用例２の記載及び図１、表１（資料Ｎｏ．８）ならびにこの分野における技術常識を考慮すると、上記引用例２には、以下の発明（以下、「引用発明２」という。）が記載されている。
「３段の梯子型フィルタにおいて、中間段の直列共振子及び並列共振子のそれぞれの共振周波数と反共振周波数の差ΔＦをその前後の共振子のΔＦよりも大きくするとともに、直列共振子の共振周波数と並列共振子の反共振周波数が同一となるように調整したラダー型フィルター。」
　
３．対比
　そこで、本願発明と引用発明１とを対比するに、引用発明１の「３．０段のような非対称型のラダー型弾性表面波フィルタ」とは直列共振器と並列共振器からなる単位フィルタを３段縦続接続したものであるから、当該引用発明１の構成と本願発明の「３つの直列腕共振器(6a)(6b)(6c)と３つの並列腕共振器(7a)(7b)(7c)とをそれぞれ直列腕(４)と並列腕(５)に接続して構成される３段の梯子型弾性表面波フィルター」とは同じものである。
　また、本願発明の「中間段における直列腕共振器(6b)の共振周波数ｆｒｓ２と並列腕共振器(7b)の共振周波数ｆｒｐ２とを、前段及び後段の各段における直列腕共振器(6a)(6c)の共振周波数ｆｒｓ１、ｆｒｓ３と並列腕共振器(7a)(7c)の共振周波数ｆｒｐ１、ｆｒｐ３と夫々異ならしめ、且つ、中間段における直列腕共振器(6b)の共振周波数ｆｒｓ２と並列腕共振器(7b)の共振周波数ｆｒｐ２との共振周波数差Δｆ２を、前段及び後段の各段における直列腕共振器(6a)(6c)の共振周波数ｆｒｓ１、ｆｒｓ３と並列腕共振器(7a)(7c)の共振周波数ｆｒｐ１、ｆｒｐ３との共振周波数差Δｆ１、Δｆ３よりも大きな値に設定する」ことと引用発明１の「直列共振子を成す共振子及び／又は並列共振子を成す共振子のうちの少なくともいずれか一個の共振子が、他の共振子と、櫛歯状電極の電極指ピッチ，櫛歯状電極の電極指本数，櫛歯状電極の電極指の開口幅，反射器の電極指ピッチ，反射器の電極指本数の５つのパラメータの少なくとも一つにおいて異なる」ことは、本願発明が中間段の２個の共振器の特性を変えるものであり、引用発明１の「少なくとも一個の共振子」のパラメータを変える構成は例えば２個の共振子（即ち、共振器）の特性を変える構成を含むから、これらの構成はいずれも「２個の共振器の特性を他の共振器の特性と異ならしめる」点で一致している。
　したがって、本願発明と引用発明は、
「３つの直列腕共振器(6a)(6b)(6c)と３つの並列腕共振器(7a)(7b)(7c)とをそれぞれ直列腕(４)と並列腕(５)に接続して構成される３段の梯子型弾性表面波フィルターにおいて、２個の共振器の特性を他の共振器の特性と異ならしめることを特徴とする弾性表面波フィルター。」
の点で一致し、以下の点で相違する。
　
＜相違点＞
　「２個の共振器の特性を他の共振器の特性と異ならしめる」点に関し、本願発明は「中間段における直列腕共振器(6b)の共振周波数ｆｒｓ２と並列腕共振器(7b)の共振周波数ｆｒｐ２とを、前段及び後段の各段における直列腕共振器(6a)(6c)の共振周波数ｆｒｓ１、ｆｒｓ３と並列腕共振器(7a)(7c)の共振周波数ｆｒｐ１、ｆｒｐ３と夫々異ならしめ、且つ、中間段における直列腕共振器(6b)の共振周波数ｆｒｓ２と並列腕共振器(7b)の共振周波数ｆｒｐ２との共振周波数差Δｆ２を、前段及び後段の各段における直列腕共振器(6a)(6c)の共振周波数ｆｒｓ１、ｆｒｓ３と並列腕共振器(7a)(7c)の共振周波数ｆｒｐ１、ｆｒｐ３との共振周波数差Δｆ１、Δｆ３よりも大きな値に設定する」ものであるのに対し、引用発明は「直列共振子を成す共振子及び／又は並列共振子を成す共振子のうちの少なくともいずれか一個の共振子が、他の共振子と、櫛歯状電極の電極指ピッチ，櫛歯状電極の電極指本数，櫛歯状電極の電極指の開口幅，反射器の電極指ピッチ，反射器の電極指本数の５つのパラメータの少なくとも一つにおいて異なる」ものである点。
　
４．当審の判断
　そこで、上記相違点について検討するに、引用発明１の例えば２個の共振子は「直列共振子を成す共振子及び／又は並列共振子を成す共振子のうちの少なくともいずれか一個の共振子」であり、その個数及びフィルタ中の位置の選択は任意であるところ、上記引用例２には「３段の梯子型フィルタにおいて、中間段の直列共振子及び並列共振子のそれぞれの共振周波数と反共振周波数の差ΔＦをその前後の共振子のΔＦよりも大きくするとともに、直列共振子の共振周波数と並列共振子の反共振周波数が同一となるように調整したラダー型フィルター。」という発明（引用発明２）が開示されており、また、引用例１に「選択すべき共振子として中間段の直列共振子と並列共振子を除く」旨の記載はなく、除かなければならない理由もないから、引用発明１の「直列共振子を成す共振子及び／又は並列共振子を成す共振子のうちの少なくともいずれか一個の共振子」として中間段の直列共振子と並列共振子を選択することは当業者であれば容易なことである。
　また、引用発明１のパラメータとして５つのパラメータのうちの「櫛歯状電極の電極指ピッチ」を採用した場合、当該電極指ピッチが共振子の共振周波数を決定するものであることはこの分野における技術常識であり、電極指ピッチを変更するということは直列共振周波数を変更することに他ならないものである。言いかえれば、引用発明１の例えば中間段の２個の共振子の電極指ピッチを異ならせるという構成は中間段における直列共振子の共振周波数と並列共振子の共振周波数とを、前段及び後段の各段における直列共振子の共振周波数と並列共振子の共振周波数と夫々異ならしめることに他ならない。
　一方、所望の特性を得るため、引用発明１の直列共振子の電極指ピッチは、その実施例（段落３５）によれば、１．１８１μｍを中心として約±３．５％の範囲内に、また、並列共振子は、１．１７９μｍを中心として約±３．６％の範囲内に設定するものであり、上記設定は当該範囲内で任意であるから、例えば上記引用発明２のように「中間段の直列共振子及び並列共振子のそれぞれの共振周波数と反共振周波数の差ΔＦをその前後の共振子のΔＦよりも大きくするとともに、直列共振子の共振周波数と並列共振子の反共振周波数が同一となるように調整」することを妨げるものではない。そして、このように調整した結果、直列共振子の直列共振周波数と並列共振子の反共振周波数は同一となるから、上記共振子単体のΔＦは本願発明でいう「中間段における直列腕共振器の共振周波数と並列腕共振器の共振周波数との共振周波数差」に等しいことになる。
　したがって、引用発明１のラダー型弾性表面波フィルタの調整に際し、上記引用発明２のラダー型フィルターの技術手段に基づいて、引用発明１の中間段の直列共振子及び並列共振子のそれぞれの共振周波数と反共振周波数の差ΔＦをその前後の共振子のΔＦよりも大きく構成することにより、結果として本願発明のような「中間段における直列腕共振器(6b)の共振周波数ｆｒｓ２と並列腕共振器(7b)の共振周波数ｆｒｐ２との共振周波数差Δｆ２を、前段及び後段の各段における直列腕共振器(6a)(6c)の共振周波数ｆｒｓ１、ｆｒｓ３と並列腕共振器(7a)(7c)の共振周波数ｆｒｐ１、ｆｒｐ３との共振周波数差Δｆ１、Δｆ３よりも大きな値に設定する」構成を得ることは容易なことである。
　また、リップルに関しては、上記引用例１のロ．に「Ｌを調整することにより、通過帯域内のリップルを平均化して滑らかにすることもできる。通過帯域内のリップルは、主に並列共振子部ＢのＬを調整することにより改善できる。」と記載されているように、フィルタにおけるリップルはいわゆる「所望の特性」に含まれる事項であり、電極指ピッチＬを調整して通過帯域内のリップルを所望の範囲内におさめる程度のことは当業者であれば当然に行うことに過ぎない。
　
５．むすび
　以上のとおり、本願発明は、上記引用例１、２に記載された発明に基づいて、当業者が容易に発明をすることができたものと認められるから、特許法第２９条第２項の規定により特許を受けることができない。
　
　よって、結論のとおり審決する。